(57)【要約】【課題】  複数の機関において時間軸を利用して生成されたプロジェクト管理情報を、利用者の要求に応じて多様な分類形態で展開して表示することが可能なプロジェクト管理情報表示装置、プロジェクト管理情報表示方法、プロジェクト管理情報表示プログラム、および電子カルテ情報表示装置を提供する。【解決手段】  複数の医療機関においてそれぞれ、階層的に分類されたカテゴリのいずれかに属する医療管理項目ごとに生成された、時間軸上の該当位置に医療に関する行為情報が配置された電子カルテ情報を取得し、分類された一のカテゴリを指定するためのタブ情報を設定し、設定された一のタブ情報が選択されると、取得された複数の電子カルテ情報の中から選択されたタブ情報により指定されるカテゴリに属する電子カルテ情報を抽出し、該当するカテゴリ名および医療管理項目とともに抽出した電子カルテ情報を生成して表示させるＥＨＲ情報生成部２２２を備える。【選択図】  図４
2010044663.tif 000002
【特許請求の範囲】
【請求項１】
複数のプロジェクト管理対象機関においてそれぞれ、階層的に分類されたカテゴリのいずれかに属するプロジェクト管理項目ごとに生成された、時間軸上の該当位置にプロジェクトに関する行為情報が配置されたプロジェクト管理情報を取得するプロジェクト管理情報取得手段と、
前記分類されたカテゴリの中の一のカテゴリを指定するためのタブ情報を設定するタブ情報設定手段と、
前記タブ情報設定手段で設定されたタブ情報の中から一のタブ情報が選択されると、前記プロジェクト管理情報取得手段で取得された複数のプロジェクト管理情報の中から、選択されたタブ情報により指定されるカテゴリに属するプロジェクト管理情報を抽出し、該当するカテゴリ名および管理項目とともに、前記抽出したプロジェクト管理情報を表示するプロジェクト管理情報表示手段と、
を備えることを特徴とするプロジェクト管理情報表示装置。
【請求項２】
前記階層的に分類された複数のカテゴリの中から選択された、複数の階層のカテゴリ名を、それぞれ階層ごとに表示するカテゴリ表示手段
をさらに有し、
前記タブ情報設定手段は、前記カテゴリ表示手段で階層ごとに表示されたカテゴリ名の中から選択されたカテゴリ名を、前記タブ情報として設定する
ことを特徴とする請求項１に記載のプロジェクト管理情報表示装置。
【請求項３】
前記階層的に分類された複数のカテゴリの中から選択され登録されたカテゴリ名を表示するパレット画面を表示させるパレット画面表示手段
をさらに有し、
前記タブ情報設定手段は、前記パレット画面表示手段で表示されたパレット画面の中から選択されたカテゴリ名を、前記タブ情報として設定する
ことを特徴とする請求項１に記載のプロジェクト管理情報表示装置。
【請求項４】
前記タブ情報設定手段は、前記プロジェクト管理情報表示手段で表示されたカテゴリ名の中から選択されたカテゴリ名を、前記タブ情報として設定する
ことを特徴とする請求項１に記載のプロジェクト管理情報表示装置。
【請求項５】
前記パレット画面に表示させるために登録されるカテゴリ名は、
前記タブ情報設定手段で設定されたタブ情報の中から選択されたタブ情報により指定されるカテゴリ名、前記プロジェクト管理情報表示手段で表示された中から選択されたカテゴリ名、または、プロジェクト管理情報の中から選択された範囲に対応するカテゴリ名である
ことを特徴とする請求項３に記載のプロジェクト管理情報表示装置。
【請求項６】
前記プロジェクト管理情報表示手段では、指定された複数のプロジェクト管理情報が重ねて表示される
ことを特徴とする請求項１〜５いずれか１項に記載のプロジェクト管理情報表示装置。
【請求項７】
前記プロジェクト管理情報表示手段では、重ねて表示された前記プロジェクト管理情報を、グラフによる表示に変換可能である
ことを特徴とする請求項６に記載のプロジェクト管理情報表示装置。
【請求項８】
複数のプロジェクト管理対象機関においてそれぞれ、階層的に分類されたカテゴリのいずれかに属するプロジェクト管理項目ごとに生成された、時間軸上の該当位置にプロジェクトに関する行為情報が配置されたプロジェクト管理情報を取得するプロジェクト管理情報取得ステップと、
前記分類されたカテゴリの中の一のカテゴリを指定するためのタブ情報を設定するタブ情報設定ステップと、
前記タブ情報設定ステップで設定されたタブ情報の中から一のタブ情報が選択されると、前記プロジェクト管理情報取得ステップで取得された複数のプロジェクト管理情報の中から、選択されたタブ情報により指定されるカテゴリに属するプロジェクト管理情報を抽出し、該当するカテゴリ名および管理項目とともに、前記抽出したプロジェクト管理情報を表示するプロジェクト管理情報表示ステップと、
を備えることを特徴とするプロジェクト管理情報表示方法。
【請求項９】
前記階層的に分類された複数のカテゴリの中から選択された、複数の階層のカテゴリ名を、それぞれ階層ごとに表示するカテゴリ表示ステップ
をさらに有し、
前記タブ情報設定ステップでは、前記カテゴリ表示ステップで階層ごとに表示されたカテゴリ名の中から選択されたカテゴリ名を、前記タブ情報として設定する
ことを特徴とする請求項８に記載のプロジェクト管理情報表示方法。
【請求項１０】
プロジェクト管理情報表示装置に、
複数のプロジェクト管理対象機関においてそれぞれ、階層的に分類されたカテゴリのいずれかに属するプロジェクト管理項目ごとに生成された、時間軸上の該当位置にプロジェクトに関する行為情報が配置されたプロジェクト管理情報を取得するプロジェクト管理情報取得機能と、
前記分類されたカテゴリの中の一のカテゴリを指定するためのタブ情報を設定するタブ情報設定機能と、
前記タブ情報設定ステップで設定されたタブ情報の中から一のタブ情報が選択されると、前記プロジェクト管理情報取得機能で取得された複数のプロジェクト管理情報の中から、選択されたタブ情報により指定されるカテゴリに属するプロジェクト管理情報を抽出し、該当するカテゴリ名および管理項目とともに、前記抽出したプロジェクト管理情報を表示するプロジェクト管理情報表示機能と、
を実行させるプロジェクト管理情報表示プログラム。
【請求項１１】
前記階層的に分類された複数のカテゴリの中から選択された、複数の階層のカテゴリ名を、それぞれ階層ごとに表示するカテゴリ表示機能
をさらに有し、
前記タブ情報設定機能では、前記カテゴリ表示機能で階層ごとに表示されたカテゴリ名の中から選択されたカテゴリ名を、前記タブ情報として設定する
ことを特徴とする請求項１０に記載のプロジェクト管理情報表示プログラム。
【請求項１２】
前記階層的に分類された複数のカテゴリの中から選択され登録されたカテゴリ名を表示する画面であるパレット画面を表示させるパレット画面表示機能
をさらに有し、
前記タブ情報設定機能では、前記パレット画面表示機能で表示されたパレット画面の中から選択されたカテゴリ名を、前記タブ情報として設定する
ことを特徴とする請求項１０に記載のプロジェクト管理情報表示プログラム。
【請求項１３】
前記タブ情報設定機能では、前記プロジェクト管理情報表示機能で表示されたカテゴリ名の中から選択されたカテゴリ名を、前記タブ情報として設定する
ことを特徴とする請求項１０に記載のプロジェクト管理情報表示プログラム。
【請求項１４】
前記パレット画面に表示させるために登録されるカテゴリ名は、
前記タブ情報設定機能で設定されたタブ情報の中から選択されたタブ情報により指定されるカテゴリ名、前記プロジェクト管理情報表示機能で表示された中から選択されたカテゴリ名、または、プロジェクト管理情報の中から選択された範囲に対応するカテゴリ名である
ことを特徴とする請求項１２に記載のプロジェクト管理情報表示プログラム。
【請求項１５】
前記プロジェクト管理情報表示機能では、指定された複数のプロジェクト管理情報が重ねて表示される
ことを特徴とする請求項１０〜１４いずれか１項に記載のプロジェクト管理情報表示プログラム。
【請求項１６】
前記プロジェクト管理情報表示機能では、重ねて表示された前記プロジェクト管理情報を、グラフによる表示に変換可能である
ことを特徴とする請求項１５に記載のプロジェクト管理情報表示プログラム。
【請求項１７】
複数の医療機関においてそれぞれ、階層的に分類されたカテゴリのいずれかに属する医療管理項目ごとに生成された、時間軸上の該当位置に医療に関する行為情報が配置された電子カルテ情報を取得する電子カルテ情報取得手段と、
前記分類されたカテゴリの中の一のカテゴリを指定するためのタブ情報を設定するタブ情報設定手段と、
前記タブ情報設定手段で設定されたタブ情報の中から一のタブ情報が選択されると、前記電子カルテ情報取得手段で取得された複数の電子カルテ情報の中から、選択されたタブ情報により指定されるカテゴリに属する電子カルテ情報を抽出し、該当するカテゴリ名および医療管理項目とともに、前記抽出した電子カルテ情報を表示する電子カルテ情報表示手段と、
を備えることを特徴とする電子カルテ情報表示装置。
【発明の詳細な説明】
【技術分野】
【０００１】
本発明は、時間軸上に蓄積されたプロジェクト管理情報を表示する、プロジェクト管理情報表示装置、プロジェクト管理情報表示方法、プロジェクト管理情報表示プログラム、および電子カルテ情報表示装置に関する。
【背景技術】
【０００２】
従来、様々な分野でプロジェクト情報の管理を行うためのアプリケーションが開発され、利用されている。
【０００３】
その中で、医療現場においては患者の治療計画や診療結果等を電子カルテで管理することが行われている。
【０００４】
この電子カルテを採用することにより、紙のカルテを利用するときに比べてデータの保存スペースを縮小できるとともに、紙のカルテをめくる等の作業をせずに表示画面上で所望の患者に関する過去の情報を迅速に閲覧できるようになる。
【０００５】
また、電子カルテを採用している複数の医療機関のコンピュータをネットワークで接続することにより、他の医療機関における診療情報等を入手することが可能になる。
【０００６】
複数の医療機関のコンピュータと医療支援サービス機関のコンピュータとをネットワークで接続し、医療に関する種々のサービスを提供するシステムに関する技術が特許文献１に記載されている。
【０００７】
この特許文献１に記載の技術を利用することにより、複数の医療機関から送信されたデータに基づいて医療支援サービス機関で統計処理を行い、処理結果を各医療機関に提供する等のサービスが可能になる。
【０００８】
また、このように複数の医療機関をネットワークで連携させることにより生成される個人の医療・健康情報の共有を目指すツールとして、ＥＨＲ（Electronic Health Record）という生涯電子カルテがある。
【０００９】
このＥＨＲは、統合医療を実現するために一元化されたヘルス情報レコードであり、元来医療機関などの施設に隔絶されていた医療情報を地域レベル、国家レベルで共有し、患者のために有効活用しようとするものである。
【特許文献１】特開２００２−１３２９５７
【発明の開示】
【発明が解決しようとする課題】
【００１０】
しかし、特許文献１の技術では、複数の医療機関から取得した情報を具体的にどのように処理し提供するかについては記載されてなく、ＥＨＲなどにおいても、取得した情報を利用者の要求に応じて多様な分類形態で展開可能な情報提供画面を構成することが望まれていた。
【００１１】
そこで本発明の目的は、複数の機関において時間軸を利用して生成されたプロジェクト管理情報を、利用者の要求に応じて多様な分類形態で展開して表示することが可能なプロジェクト管理情報表示装置、プロジェクト管理情報表示方法、プロジェクト管理情報表示プログラム、および電子カルテ情報表示装置を提供することである。
【課題を解決するための手段】
【００１２】
上記目的を達成するための本発明のプロジェクト管理情報表示装置は、複数のプロジェクト管理対象機関においてそれぞれ、階層的に分類されたカテゴリのいずれかに属するプロジェクト管理項目ごとに生成された、時間軸上の該当位置にプロジェクトに関する行為情報が配置されたプロジェクト管理情報を取得するプロジェクト管理情報取得手段と、前記分類されたカテゴリの中の一のカテゴリを指定するためのタブ情報を設定するタブ情報設定手段と、前記タブ情報設定手段で設定されたタブ情報の中から一のタブ情報が選択されると、前記プロジェクト管理情報取得手段で取得された複数のプロジェクト管理情報の中から、選択されたタブ情報により指定されるカテゴリに属するプロジェクト管理情報を抽出し、該当するカテゴリ名および管理項目とともに、前記抽出したプロジェクト管理情報を表示するプロジェクト管理情報表示手段とを備えることを特徴とする。
【００１３】
また、本発明のプロジェクト管理情報表示方法は、複数のプロジェクト管理対象機関においてそれぞれ、階層的に分類されたカテゴリのいずれかに属するプロジェクト管理項目ごとに生成された、時間軸上の該当位置にプロジェクトに関する行為情報が配置されたプロジェクト管理情報を取得するプロジェクト管理情報取得ステップと、前記分類されたカテゴリの中の一のカテゴリを指定するためのタブ情報を設定するタブ情報設定ステップと、前記タブ情報設定ステップで設定されたタブ情報の中から一のタブ情報が選択されると、前記プロジェクト管理情報取得ステップで取得された複数のプロジェクト管理情報の中から、選択されたタブ情報により指定されるカテゴリに属するプロジェクト管理情報を抽出し、該当するカテゴリ名および管理項目とともに、前記抽出したプロジェクト管理情報を表示するプロジェクト管理情報表示ステップとを備えることを特徴とすることを特徴とする。
【００１４】
また、本発明のプロジェクト管理情報表示プログラムは、プロジェクト管理情報表示装置に、複数のプロジェクト管理対象機関においてそれぞれ、階層的に分類されたカテゴリのいずれかに属するプロジェクト管理項目ごとに生成された、時間軸上の該当位置にプロジェクトに関する行為情報が配置されたプロジェクト管理情報を取得するプロジェクト管理情報取得機能と、前記分類されたカテゴリの中の一のカテゴリを指定するためのタブ情報を設定するタブ情報設定機能と、前記タブ情報設定ステップで設定されたタブ情報の中から一のタブ情報が選択されると、前記プロジェクト管理情報取得機能で取得された複数のプロジェクト管理情報の中から、選択されたタブ情報により指定されるカテゴリに属するプロジェクト管理情報を抽出し、該当するカテゴリ名および管理項目とともに、前記抽出したプロジェクト管理情報を表示するプロジェクト管理情報表示機能とを実行させることを特徴とする。
【００１５】
また、本発明の電子カルテ情報表示装置は、複数の医療機関においてそれぞれ、階層的に分類されたカテゴリのいずれかに属する医療管理項目ごとに生成された、時間軸上の該当位置に医療に関する行為情報が配置された電子カルテ情報を取得する電子カルテ情報取得手段と、前記分類されたカテゴリの中の一のカテゴリを指定するためのタブ情報を設定するタブ情報設定手段と、前記タブ情報設定手段で設定されたタブ情報の中から一のタブ情報が選択されると、前記電子カルテ情報取得手段で取得された複数の電子カルテ情報の中から、選択されたタブ情報により指定されるカテゴリに属する電子カルテ情報を抽出し、該当するカテゴリ名および医療管理項目とともに、前記抽出した電子カルテ情報を表示する電子カルテ情報表示手段とを備えることを特徴とする。
【発明の効果】
【００１６】
本発明のプロジェクト管理情報表示装置、プロジェクト管理情報表示方法、プロジェクト管理情報表示プログラム、および電子カルテ情報表示装置によれば、複数の機関において時間軸を利用して生成されたプロジェクト管理情報を、利用者の要求に応じて多様な分類形態で展開して表示することができる。
【発明を実施するための最良の形態】
【００１７】
本発明のプロジェクト管理情報生成装置の一実施形態として、医療分野において複数の医療機関から取得した診療結果等の医療情報を、多様な表示状態に展開して比較検討するためのＥＨＲ情報画面を生成する電子カルテ情報生成装置を利用した電子カルテ管理システムについて説明する。
【００１８】
〈基本概念〉
本発明の一実施形態による電子カルテ情報生成装置においては、様々な種類の医療行為を個々に「アクト」として定義し管理している。
【００１９】
そして、これらの個々のアクトはその行為の核心となる情報（Core of Act、以下「ＣＯＡ」とする。）を有する。このＣＯＡの中にはそれぞれ時間軸を基にして定義された自己の行為に関する情報や他の行為との関係情報等が格納されている。
【００２０】
アクトの種類としては、「観察」、「処方」、「注射」、「給食」等があり、これらには例えば何を観察するか、または何の薬剤を注射するか等の自己の行為に関する情報や、「注射」を行ってから所定の時間経過後に「観察」しなければならない等の時間軸に基づく他の医療行為との関係情報が個々にあり、これらがＣＯＡの中に格納されている。
【００２１】
医療行為以外の情報、例えば「症状」の情報なども、「観察」というアクトに基づいて発生するＣＯＡであり、これらの情報（症状）は「観察」のＣＯＡとして保持される。つまり、すべての情報は何らかの医療行為（アクト）のＣＯＡとして保持される。
【００２２】
〈一実施形態としての電子カルテ管理システムの構成〉
本実施形態における電子カルテ管理システム１の構成について、図１を参照して説明する。
【００２３】
本実施形態における電子カルテ管理システム１は、電子カルテ管理センター装置１０と、各県の各市内にある各病院内で医師により利用される電子カルテ情報生成装置としてのクライアント端末２０とが、ネットワーク３０を介して接続されることにより構成されている。図１においては、Ａ県Ａ市のＡ病院にクライアント端末２０−１および２０−２が設置され、Ａ県Ａ市のＢ病院にクライアント端末２０−３および２０−４が設置され、Ａ県Ｂ市のＭ病院にクライアント端末２０−５および２０−６が設置され、Ａ県Ｂ市のＮ病院にクライアント端末２０−７および２０−８が設置され、Ｂ県Ｋ市のＯ病院にクライアント端末２０−９および２０−１０が設置され、Ｂ県Ｋ市のＰ病院にクライアント端末２０−１１および２０−１２が設置され、Ｂ県Ｌ市のＱ病院にクライアント端末２０−１３および２０−１４が設置され、Ｂ県Ｌ市のＲ病院にクライアント端末２０−１５および２０−１６が設置された場合について示したが、この台数には限定されず、各病院にさらに多くのクライアント端末が設置されていてもよい。
【００２４】
〔電子カルテ管理センター装置１０〕
電子カルテ管理センター装置１０は、ＣＯＡ情報記憶部１１と、電子カルテ情報記録部１２と、ネットワーク３０を介して各病院内のクライアント端末２０−１〜２０−１６に接続された送受信部１３とを有する。
【００２５】
ＣＯＡ情報記憶部１１は、予め入力された種々のアクトに関するＣＯＡが格納されている。
【００２６】
電子カルテ情報記録部１２は、ＣＯＡを使用して電子カルテとして生成されたデータを記録する。
【００２７】
送受信部１３は、ネットワーク３０を介して接続された各病院内のクライアント端末２０−１〜２０−１６と、ＣＯＡ情報および電子カルテ情報の送受信を行う。
【００２８】
−ＣＯＡの構成−
ＣＯＡ情報記憶部１１に格納されている各ＣＯＡを構成する情報について、図２を参照して説明する。
【００２９】
各ＣＯＡは、（１）アクト情報層１００と、（２）アクト動作層２００と、（３）出力層３００と、（４）管理層４００とを有する。
【００３０】
（１）アクト情報層１００
アクト情報層１００は、自己のアクトに関する情報である自行為情報としての（i）自己アクト情報１１０と、他のＣＯＡとリンクするための情報であるリンケージ情報としての（ii）リンケージアクト情報１２０とを有する。
【００３１】
（i）自己アクト情報１１０
自己アクト情報１１０はさらに、自行為特性情報としての自己アクト特性１１１と自行為論理情報としての自己アクト論理１１２とを有し、自己アクト特性１１１には、自己のアクトの名称１１１ａ（正式名称、別称、仮名称など）、分類１１１ｂ（大分類、中分類、小分類など）、関連ＩＤ１１１ｃ（名称１１１ａに対応し他のＣＯＡとリンクするための識別ＩＤ）、知識１１１ｄ（自己のアクトに関する量、速度、単位、科学知識やノウハウなど）が格納されている。
【００３２】
分類１１１ｂの例としては、大分類として「動作アクト」、「論理上アクト」があり、「動作アクト」の中分類として「観察アクト」、「介入アクト」がある。また、「観察アクト」の小分類として「病歴」、「症状」、「所見」などがあり、「介入アクト」の小分類として「検体検査」、「画像検査」、「生理検査」、「処方」、「注射」、「処置」、「入退院」、「給食」などがある。また、「論理上アクト」の小分類として、「検査結果の組み合わせによるデータ生成」、「処方箋；物伝票の生成」などがある。
【００３３】
自己アクト論理１１２には、自己のアクトを実行する際の量の算出方法、投与量の適正範囲、症状の評価方法、単位の換算、表示方法などの情報が格納されている。
【００３４】
（ii）リンケージアクト情報１２０
リンケージアクト情報１２０は、リンケージアクト特性１２１とリンケージアクト論理１２２とを有し、リンケージアクト特性１２１には、他のＣＯＡとリンクされることにより適用する従属的・排他的行為を含む相互に関連する行為の内容、適用時間、適用範囲などの情報が時間軸情報に基づいて格納され、リンケージアクト論理１２２には、リンケージアクト特性１２１の情報に基づいて他のＣＯＡとリンクする際の論理和、論理積等による条件式、論理フローなどが格納されている。
【００３５】
（２）アクト動作層２００
アクト動作層２００には、自己アクト論理１１２およびリンケージアクト論理１２２に基づいて処理を実行する際の動作間の論理制御情報、例えば実行順序や条件式などが格納されている。
【００３６】
（３）出力層３００
出力層３００には、自己のＣＯＡの動作に関する状態３００ａ（想定、計画、実施決定、準備、実施、結果など）、評価３００ｂ（成功、失敗など）、成果３００ｃ（観察結果、実施結果、図形化、伝票・処方箋生成など）、他のＣＯＡに対する介入３００ｄなどの情報が格納されている。
【００３７】
（４）管理層４００
管理層４００には、各ＣＯＡを管理するための管理ＩＤ群４００ａと、管理名称４００ｂと、各ＣＯＡを著作物とする著作権４００ｃと、著作日時、更新日時などの版情報４００ｄとが格納されている。
【００３８】
各ＣＯＡの時間軸上における情報の適用範囲を図３に示す。ＣＯＡはそれぞれ複数のリンケージアクト情報１２０を有することが可能であり、図３のＣＯＡにおいてはリンケージアクト情報１２０−１〜１２０−３の３つのリンケージアクトを有する。
【００３９】
図３において、リンケージアクト情報１２０−１は自己アクト情報１１０による医療行為実行後所定時間経過後から適用される情報であり、リンケージアクト情報１２０−２は自己アクト情報１１０による医療行為実行と同時に適用される情報であり、リンケージアクト情報１２０−３は自己アクト情報１１０による医療行為終了時から適用される情報である。
【００４０】
〔各クライアント端末２０−１〜２０−１６〕
各クライアント端末２０−１〜２０−１６は医師が利用するものであり、図４に示すように、入力部２１と、制御部２２と、送受信部２３と、仮想記憶部２４と、表示部２５とを有する。
【００４１】
入力部２１は、例えばマウスやキーボードなどであり、利用者による操作内容を入力する。
【００４２】
制御部２２は、電子カルテの作成、更新等の処理を行う電子カルテ情報生成部２２１と、複数の医療機関から取得した電子カルテ情報で構成されるＥＨＲ情報を生成するＥＨＲ情報生成部２２２とを有する。
【００４３】
送受信部２３は、ネットワーク３０を介して接続された電子カルテ管理センター装置１０と、ＣＯＡ情報および電子カルテ情報の送受信を行う。
【００４４】
仮想記憶部２４は、電子カルテ管理センター装置１０から取得した情報および制御部２２で生成した情報を一時的に記憶し、ネットワークが使用できない環境でも限定的な範囲において電子カルテの利用を可能にするものである。
【００４５】
表示部２５は、電子カルテ情報生成部２２１およびＥＨＲ情報生成部２２２で生成中の情報または生成した情報を表示するモニタなどである。
【００４６】
〈一実施形態としての電子カルテ管理システムの動作〉
以下に、具体例を用いて一実施形態としての電子カルテ管理システム１により電子カルテ情報を生成するとともに、他の医療機関で生成された電子カルテ情報を取得してＥＨＲ情報を利用した様々なＥＨＲ画面を作成、更新して表示する場合の動作について、図５のフローチャートを参照して説明する。
【００４７】
−電子カルテ情報の作成−
まず、Ａ県Ａ市内のＡ病院において、利用者である医師によりクライアント端末２０−１の電源が投入され、電子カルテ情報を処理するアプリケーションが起動される（Ｓ１）。
【００４８】
次に、医師の操作により入力部２１から電子カルテ情報の作成指示が入力されると（Ｓ２）、電子カルテ情報生成部２２１の処理により表示部２５に電子カルテ情報の作成画面が表示される。この電子カルテ情報の作成画面は、時間軸上の該当位置にＣＯＡ情報を配置することにより電子カルテ画面を表示するタイムエクスプローラモードで表示される。
【００４９】
次に、必要なＣＯＡ情報が電子カルテ管理センター装置１０のＣＯＡ情報記憶部１１から送受信部１３、ネットワーク３０、および送受信部２３を介して電子カルテ情報生成部２２１で取得される。
【００５０】
電子カルテ情報生成部２２１でＣＯＡ情報が取得されると、医師の操作により作成画面の時間軸上の該当位置にＣＯＡ情報が配置されることにより、治療計画、診療経過等における注射、投薬等の項目ごとの治療情報が入力され、電子カルテ情報が生成、更新され表示部２５に表示される（Ｓ３）。このようにして複数の患者の電子カルテ情報が生成される。
【００５１】
生成された複数の患者の電子カルテ情報は、仮想記憶部２４に記憶されるかまたは、送受信部２３からネットワーク３０を介して電子カルテ管理センター装置１０に送信される。仮想記憶部２４に記憶された電子カルテ情報は更新処理等に用いられ、アプリケーションを終了する際にはネットワーク３０を介して電子カルテ管理センター装置１０に送信される。
【００５２】
電子カルテ管理センター装置１０では、クライアント端末２０−１から電子カルテ情報が送信されると送受信部１３で受信され、電子カルテ情報記録部１２に記録される（Ｓ４）。このようにして、他の病院に設置されたクライアント端末２０−２〜２０−１６で生成された電子カルテ情報も電子カルテ管理センター装置１０の電子カルテ情報記録部１２に記録される。
【００５３】
複数の医療機関で生成された電子カルテ情報が電子カルテ管理センター装置１０の電子カルテ情報記録部１２に記録された状態で、医師の操作によりこれらの電子カルテ情報を利用したＥＨＲ情報の作成指示がクライアント端末２０−１の入力部２１から入力されると（Ｓ５）、ＥＨＲ情報生成部２２２の処理により、必要な複数医療機関の電子カルテ情報が電子カルテ管理センター装置１０の電子カルテ情報記録部１２から送受信部１３、ネットワーク３０、および送受信部２３を介して取得される（Ｓ６）。
【００５４】
複数医療機関で生成された電子カルテ情報がＥＨＲ情報生成部２２２で取得されると、これらの電子カルテ情報が利用されてＥＨＲ情報が生成され、表示部２５に表示される（Ｓ７）。
【００５５】
ＥＨＲ情報生成部２２２においてＥＨＲ情報が生成されるときの処理について、図６〜図２２を参照して説明する。
【００５６】
図６に示すように、本実施形態において当該アプリケーションの表示画面４０は、電子カルテ情報を選択された時間範囲で表示するためのモードであるタイムエクスプローラモードに遷移させるタイムエクスプローラ表示ボタン４１と、複数の医療機関の電子カルテ情報で構成されるＥＨＲ情報を、指定されたカテゴリ別に表示するためのモードであるオーガニゼーションエクスプローラモードに遷移させるオーガニゼーションエクスプローラ表示ボタン４２と、上位の複数の階層に属するカテゴリ名を表示するカテゴリ表示部４３と、指定されたカテゴリのＥＨＲ情報を表示するＥＨＲ情報表示部４４とから構成される。
【００５７】
まず、オーガニゼーションエクスプローラ表示ボタン４２が操作されることにより、ＥＨＲ情報表示部４４に表示させるカテゴリを検索する画面に遷移され、検索カテゴリ表示部４３が表示される。
【００５８】
この検索カテゴリ表示部４３は、上位層のカテゴリ項目を表示する上位カテゴリ表示部４３１、中位層のカテゴリ項目を表示する中位カテゴリ表示部４３２、下位層のカテゴリ項目を表示する下位カテゴリ表示部４３３の３つの異なる層のカテゴリ表示部で構成されており、このように複数の異なる階層でカテゴリ項目が表示されることにより、上位層のカテゴリ項目から下位層のカテゴリ項目へ、または下位層のカテゴリ項目から上位層のカテゴリ項目へと、関連する所望のカテゴリ項目へ表示を移動させることができる。
【００５９】
図６では、上位カテゴリ表示部４３１には「県」が指定されて上位層のカテゴリ項目としてＡ県、Ｂ県、Ｃ県、Ｄ県、Ｅ県、Ｆ県、Ｇ県…が表示され、その中から「Ａ県」が選択されているものとする。また、中位カテゴリ表示部４３２には「市」が指定され、中位層のカテゴリ項目として、上位カテゴリ表示部４３１で選択された「Ａ県」内の市名であるＡ市、Ｂ市、Ｃ市、Ｄ市、Ｅ市、Ｆ市、Ｇ市…が表示され、その中から「Ａ市」が選択されているものとする。また、下位カテゴリ表示部４３３には「病院」が指定され、下位層のカテゴリ項目として、中位カテゴリ表示部４３２で選択された「Ａ市」内にある病院名であるＡ病院、Ｂ病院、Ｃ病院、Ｄ病院、Ｅ病院、Ｆ病院、Ｇ病院、Ｈ病院、Ｉ病院、Ｊ病院・・・が表示されているものとする。
【００６０】
カテゴリ表示部４３に表示させるカテゴリ項目は、病院内の「診療科名」→「担当医名」→「患者名」のようにさらに下位層のカテゴリ項目に移動して表示させることもできる。また逆に、下位層のカテゴリ項目から関連する上位層のカテゴリ項目を指定して表示させるようにしてもよい。
【００６１】
この検索カテゴリ表示部４３に表示されるカテゴリ項目は、デフォルトで予め準備された中から選択したり、自由に入力したりすることで指定される。
【００６２】
このように複数の異なる階層の中で上位層のカテゴリ項目から関連する下位層のカテゴリ項目へ、または下位層のカテゴリ項目から関連する上位層のカテゴリ項目へ選択することで、所望のカテゴリ項目を容易に検索することができる。
【００６３】
このようにして指定された下位層のカテゴリ項目に属する電子カルテ情報が電子カルテ管理センター装置１０の電子カルテ情報記録部１２から取得され、ＥＨＲ情報表示部４４に所望の電子カルテ情報が展開され表示される。
【００６４】
検索カテゴリ表示部４３に表示されるカテゴリ項目はＣＯＡで構成されており、対応する電子カルテ情報がＥＨＲ情報表示部４４に展開される際の表示情報、例えば表示するタイトル、時間軸の時間幅等の情報を有している。
【００６５】
また、オーガニゼーションエクスプローラ表示ボタン４２が操作されることにより、操作する医師が頻繁に利用する情報のカテゴリ項目（図６においては予め登録された病名ごとの治療内容）を示すＣＯＡを表示するパレット画面４５、または患者固有の情報として予め登録された病名ごとの治療内容等のカテゴリ項目を示すＣＯＡを表示する患者アイテム画面が表示される。
【００６６】
このように表示された検索カテゴリ表示部４３、パレット画面４５、または患者アイテム画面に表示されたカテゴリ項目のＣＯＡが選択操作されることにより、所望のＥＨＲ情報がＥＨＲ情報表示部４４に表示される。
【００６７】
ＥＨＲ情報表示部４４は、縦方向に階層的に並べられたカテゴリ項目である大タイトル４４１、中タイトル４４２、小タイトル４４３と、この各小タイトルに対応した項目の電子カルテ情報で構成されたＥＨＲ情報４４４と、これらのタイトル４４１〜４４３およびＥＨＲ情報４４４を所望のカテゴリ項目に対応させて表示させるために設定される横タブ４４５とから構成されている。この横タブ４４５としては、医師が頻繁に利用するカテゴリ項目を設定しておくことで、ＥＨＲ情報の表示作業を効率化することができる。
【００６８】
この大タイトル４４１は、検索カテゴリ表示部４３の下位カテゴリ表示部４３３に表示されたカテゴリ項目のＣＯＡに基づいて展開された大分類のカテゴリ項目であり、中タイトル４４２は大タイトル４４１の中から指定されたカテゴリ項目の下位のカテゴリ項目であり、小タイトル４４３は中タイトル４４２の中から指定されたカテゴリ項目のさらに下位のカテゴリ項目である。
【００６９】
横タブ４４５には異なる階層のカテゴリ項目が複数設定されていてもよく、図６においては、タブ「Ａ病院」、「患者ＣＣ」、「Ａ診療科」が設定されており、設定された３つのタブのうち、指定されたタブ「Ａ病院」が一番左の位置に表示され、この「Ａ病院」とこれより下位層のカテゴリ項目で構成されるタイトルとともに、属するＥＨＲ情報が抽出され表示される。
【００７０】
図６においては、大タイトル４４１として、横タブ４４５で指定されたカテゴリ項目「Ａ病院」が表示され、中タイトルとしてこのＡ病院で実施された治療名であるカテゴリ項目「ＡＡ病治療」および「ＢＢ病治療」が表示され、小タイトルとしてＡ病院でＡＡ病治療として実施された投与薬、注射、検査の項目である「ＡＡ薬」、「ＢＢ薬」、「ＣＣ薬」、「ＤＤ薬」、「注射ＡＡ」、「検査ＡＡ」、「検査ＢＢ」が表示され、またＡ病院でＢＢ病治療として実施された投与薬、注射、検査の項目である「ＥＥ薬」、「ＧＧ薬」、「ＨＨ薬」、「注射ＢＢ」、「検査ＣＣ」が表示され、これらの小タイトルに表示された投与薬、注射、検査の項目のそれぞれの詳細内容（実施時期、投与量等）を示すＣＯＡが入力された電子カルテ情報が、ＥＨＲ情報４４４に示されている。
【００７１】
この横タブ４４５は、検索カテゴリ表示部４３、ＥＨＲ情報表示部４４、パレット画面４５、または患者アイテム画面に表示されたカテゴリ項目を利用して、新たに追加することができる。これらの、検索カテゴリ表示部４３、パレット画面４５、患者アイテム画面に表示されているＣＯＡは、それぞれ自ＣＯＡが横タブ４４５として展開されるときにどのようなタイトルで展開されるかの情報を属性として有している。
【００７２】
検索カテゴリ表示部４３に表示されているカテゴリの項目を新たに横タブ４４５として追加するときには、図６の点線矢印で示すように、例えば下位カテゴリ表示部４３３の中の項目「Ｂ病院」を選択して横タブ４４５が表示されているエリアにドラッグ・ドロップ操作することにより、図７に示すようにタブ「Ｂ病院」が一番左の位置に追加される。
【００７３】
このタブ「Ｂ病院」が横タブ４４５の一番左の位置に追加されることにより、対応するタイトル４４１〜４４３およびＥＨＲ情報４４４が展開され画面情報が更新される。
【００７４】
また図８の点線矢印で示すように、下位カテゴリ表示部４３３全体が選択された状態で、これらを横タブ４４５が表示されているエリアにドラッグ・ドロップ操作することにより、図９に示すように下位カテゴリ表示部４３３全体のカテゴリを示すタブ「病院」が横タブ４４５の一番左の位置に追加される。
【００７５】
このタブ「病院」が追加されることにより、大タイトル４４１として下位カテゴリ表示部４３３に表示されている各病院名「Ａ病院」〜「Ｊ病院」が表示され、中タイトル４４２としてそれぞれの病院で実施された治療名「ＡＡ病治療」、「ＢＢ病治療」等が表示され、小タイトル４４３として各病院で各治療に対して実施された投与薬、注射、検査の項目である「ＡＡ薬」、「ＢＢ薬」、「ＣＣ薬」・・・等が表示され、これらの小タイトル４４３に表示された項目のそれぞれの詳細内容（実施時期、投与量等）を示すＣＯＡがタイムライン上に入力された電子カルテ情報が、ＥＨＲ情報４４４に展開され表示される。
【００７６】
検索このカテゴリ表示部４３の表示を利用した横タブ４４５の追加は、図１０に示すように、検索カテゴリ表示部４３上で右クリック操作等を行うことにより表示させたメニュー画面４３４の中から、該当する項目（図１０においては「検索項目をタブに追加」）を選択することで実行するようにしてもよい。
【００７７】
また、既にＥＨＲ情報表示部４４にタイトルとして表示されているカテゴリ項目を新たに横タブ４４５として追加するときには、図１１の点線矢印で示すように、例えば大タイトル４４１として表示されているカテゴリ項目「Ａ病院」を選択して横タブ４４５が表示されているエリアにドラッグ・ドロップ操作することにより、図１２に示すようにタブ「Ａ病院」が一番左の位置に追加され、タイトル４４１〜４４３およびＥＨＲ情報４４４もＡ病院に関する内容のみが展開され表示される。
【００７８】
また図１３の点線矢印で示すように、中タイトル４４２として表示されている「ＡＡ病治療」を選択して横タブ４４５が表示されているエリアにドラッグ・ドロップ操作することにより、図１４に示すようにタブ「ＡＡ病治療」が一番左の位置に追加され、タイトル４４１〜４４３およびＥＨＲ情報４４４もＡＡ病治療に関する内容のみが展開され表示される。
【００７９】
このＥＨＲ情報表示部４４の表示を利用した横タブ４４５の追加は、追加したいカテゴリ項目上で右クリック操作等を行うことにより図１５に示すようにメニュー画面４４６を表示させ、このメニュー画面４４６内の該当する項目（図１５においては「このカテゴリをタブに追加」）を選択することで実行するようにしてもよい。
【００８０】
上記のように操作することにより表示させた横タブ４４５、大タイトル４４１、中タイトル４４２に表示されたカテゴリ項目を１つまたは複数選択し、オーガニゼーションエクスプローラ表示ボタン４２が操作されたことで表示されたパレット画面４５または患者アイテム画面へドラッグ・ドロップ操作するかまたは右クリック操作等で表示させるメニュー画面により指定することにより、対象となるカテゴリ項目に属するタイトル４４１〜４４３およびＥＨＲ情報４４４を、ＣＯＡとしてパレット画面４５または患者アイテム画面へ登録することができる。
【００８１】
例えば、図１６に示すように、横タブ４４５の中のカテゴリ項目「病院」を選択してパレット画面４５にドラッグ・ドロップ操作することにより、この横タブ４４５に対応して表示されているタイトル４４１〜４４３およびＥＨＲ情報４４４がＣＯＡとしてパレット画面４５に追加され登録される。
【００８２】
このとき、図１７に示すように、表示されたタイトル４４１〜４４３やＥＨＲ情報４４４の中から、登録したい一または複数のタイトル４４１〜４４３の情報の範囲を囲い込むことで指定して、ドラッグ・ドロップ操作するかまたは右クリック操作等で表示させるメニュー画面により指定することにより、ＣＯＡとしてパレット画面４５または患者アイテム画面へ登録するようにしてもよい。患者アイテム画面への登録も、パレット画面４５への登録操作と同様の操作で行うことができる。
【００８３】
このようにしてパレット画面４５または患者アイテム画面に登録されたＣＯＡを、新たに横タブ４４５として追加するときには、図１８の点線矢印で示すように、例えばパレット画面４５の中に表示されているＣＯＡ「病院」を選択して横タブ４４５が表示されているエリアにドラッグ・ドロップ操作するかまたは当該ＣＯＡをクリック操作することにより、当該ＣＯＡが予め有している情報に従って図１９に示すようにタブ「病院」が一番左の位置に追加され、対応するタイトル４４１〜４４３およびＥＨＲ情報４４４が展開され表示される。
【００８４】
また、パレット画面４５または患者アイテム画面に表示されたＣＯＡが横タブ４４５として展開されるときの情報を持っていない場合は、デフォルトで設定されたタイトル（例えば「New Tab」）で設定されるようにしてもよい。
【００８５】
また、ＣＯＡとしてパレット画面４５または患者アイテム画面へ登録された情報は、例えば図２０に示すようにパレット画面４５の中のＣＯＡ「病院」を選択してＥＨＲ情報が表示されているエリアにドラッグ・ドロップ操作するかまたは当該ＣＯＡをクリック操作することにより、当該ＣＯＡが予め有している情報に従ってタイトル４４１〜４４３およびＥＨＲ情報４４４が展開され表示される。
【００８６】
これらの操作を組み合わせることにより、ＥＨＲ情報表示部４４に表示させる情報を自在に構成することができる。
【００８７】
例えば、パレット画面４５に登録されたＣＯＡまたは検索カテゴリ表示部４３に表示された中から選択されたカテゴリ項目を横タブ４４５として作成し、この横タブ４４５で表示されるＥＨＲ情報表示部４４中の大タイトル４４１、中タイトル４４２、小タイトル４４３を、さらにパレット画面４５に登録されたＣＯＡの中から選択したり追加したりすることで、所望のＥＨＲ情報表示部４４を作成することができ、再度この情報を表示させるときには当該横タブ４４５をクリックするのみで表示させることができる。
【００８８】
さらに、図２１に示すように、大タイトル４４１として病院名「Ａ病院」、「Ｂ病院」が表示され、中タイトル４４２として治療名「ＡＡ病治療」、「ＢＢ病治療」が表示され、これらの中タイトル４４２の下位に対応する小タイトル４４３としての治療項目名およびそれらのＥＨＲ情報４４４がそれぞれ表示されている状態で、中タイトル４４２の「ＡＡ病治療」のタイトルを、大タイトル４４１の表示エリアにドラッグ・ドロップ操作するかまたは右クリック操作等で表示させるメニュー画面により大タイトル４４１として設定するように指定することにより、図２２に示すように、大タイトル４４１として治療名「ＡＡ病治療」、「ＢＢ病治療」が表示され、中タイトル４４２として病院名「Ａ病院」、「Ｂ病院」が表示され、この中タイトル４４２の下位に対応する小タイトル４４３としての治療項目名およびそれらのＥＨＲ情報４４４が並べ替えられて表示される。
【００８９】
また、図２３に示すように、横タブ４４５で「患者Ａ」が選択されることにより、大タイトル４４１として病院名「Ａ病院」、「Ｂ病院」、「Ｃ病院」が表示され、中タイトル４４２として診療科「Ａ診療科」、「Ｂ診療科」、「Ｄ診療科」等が表示され、これらの中タイトル４４２の下位に対応する小タイトル４４３としての検査名「検査ＡＡ」、「検査ＢＢ」、「検査ＣＣ」、「検査ＤＤ」、「検査ＥＥ」、およびそれらのＥＨＲ情報４４４がそれぞれ表示されることで、患者Ａの複数の病院での診療履歴情報が表示される。
【００９０】
このように表示されることにより、複数の医療機関に分散されていた同一患者に関する医療情報を同一画面上で確認することができる。そのため、例えば一患者が一の検査について複数の病院で受診した場合でも、検査の全経過を同一画面で把握することができる。
【００９１】
これらの患者Ａの診療履歴が表示されている状態で、小タイトル４４３の「検査ＡＡ」のタイトルを、大タイトル４４１の表示エリアにドラッグ・ドロップ操作するかまたは右クリック操作等で表示させるメニュー画面により大タイトル４４１として設定するように指定することにより、図２４に示すように、大タイトル４４１として検査名「検査ＡＡ」、「検査ＢＢ」、「検査ＣＣ」、「検査ＤＤ」が表示され、中タイトル４４２として病院名「Ａ病院」、「Ｂ病院」、「Ｃ病院」、「Ｄ病院」が表示され、この中タイトル４４２の下位に対応するように小タイトル４４３としての診療科名およびそれらのＥＨＲ情報４４４が並べ替えられて表示される。
【００９２】
このとき、操作した検査名「検査ＡＡ」についてのみが大タイトル４４１に変更され、それ以外の検査名「検査ＢＢ」、「検査ＣＣ」、「検査ＤＤ」については図２３で表示したときのように小タイトル４４３のまま変更されないようにしてもよい。また、図２４において、選択された大タイトル４４１（例えば「検査ＡＡ」および「検査ＣＣ」）に関してのみ表示されるようにしてもよい。
【００９３】
また、ＥＨＲ情報表示部４４内の大タイトル４４１および中タイトル４４２には、それらのタイトルよりも下位の情報を折り畳んだ状態で表示させるための折り畳みアイコン４４６が表示されており、この折り畳みアイコン４４６をクリック操作することにより折り畳みアイコン４４６が「−」表示から「＋」表示に変更されるとともに、当該タイトルよりも下位のＥＨＲ情報４４４が１つのタイムライン上に重ねて表示される。
【００９４】
例えば図２４中の中タイトル４４２として表示されているカテゴリ項目「Ａ病院」の折り畳みアイコン４４６がクリック操作され「＋」表示に変更されることにより、図２５に示すように、操作された「Ａ病院」より下位のカテゴリ項目である「Ａ診療科」および「Ｂ診療科」のＥＨＲ情報４４４が、１つのタイムライン上に重ねて表示される。大タイトル４４１として表示されているカテゴリ項目「検査ＡＡ」の折り畳みアイコン４４６がクリック操作されたときも同様に表示が変更され、図２６に示すように、操作された「検査ＡＡ」より下位のカテゴリ項目である「Ａ病院」のさらに下位の項目「Ａ診療科」、「Ｂ診療科」、およびカテゴリ項目「Ｂ病院」に属する項目「Ａ診療科」のＥＨＲ情報が１つのタイムライン上に重ねて表示される。
【００９５】
このように折り畳みアイコン４４６がクリック操作されたことにより複数のタイムラインが重ねて表示されたＥＨＲ情報４４４は、図２５、図２６に示すようにＣＯＡがマークとして表示される他、表示モードを変更することにより、図２７に示すように折れ線グラフで各ＥＨＲ情報４４４を色別で表示させるようにしてもよい。
【００９６】
また、手動で所望のタイトルが選択されることにより、複数のＥＨＲ情報４４４が重ねて表示されるようにしてもよい。
【００９７】
例えば、図２８に示すように、カテゴリ項目「Ｂ病院」の下位の項目「Ａ診療科」のタイトルを選択してカテゴリ項目「Ａ病院」の下位の項目「Ａ診療科」のタイトル上にドラッグ・ドロップ操作をすることにより、図２９に示すようにこれらの２つのＥＨＲ情報４４４が重ねて表示される。この操作は、異なる大タイトル４４１に属する項目間でも行うことができ、重ねて表示されたＥＨＲ情報４４４はさらに図２７に示したように折れ線グラフ等の表示に変更することもできる。
【００９８】
このように、多様な画面構成でＥＨＲ情報を展開可能とすることで、複数の医療機関から取得した多種の電子カルテ情報を、所望のカテゴリ項目（タイトル）により分類して表示させることができる。
【００９９】
例えば、一患者が複数の医療機関に渡って検査や治療を受けた場合の情報も、当該患者に関する治療内容として、病院ごと、または治療内容ごとに一画面上に該当する電子カルテ情報を表示させることができる。
【０１００】
また、このように表示された患者ごとの治療内容の情報も、全部または選択された一部をパレット画面４５や患者アイテム画面に登録しておき、他のＥＨＲ情報画面に利用することが可能である。
【０１０１】
上記のような電子カルテ管理システムにおいてＥＨＲ情報を生成する際に、電子カルテ管理センター装置１０において電子カルテ情報を集中管理し、各患者の電子カルテ情報から患者の個人情報を分離させて治療計画、治療経過等の医療情報のみをＥＨＲ情報の生成に利用させることで、個人情報の流出を防止しつつ、病院内外の複数患者の医療情報を取得して用いることができる。
【０１０２】
また、上記の実施形態においては、時間情報に基づいて生成された電子カルテ情報のＥＨＲ情報の画面を生成する電子カルテ情報生成装置について説明したが、これには限定されず、パーソナル健康カルテ（PHR）情報や、医療分野を超えた各分野の製造工程管理情報や顧客管理情報等、時間情報に基づいて生成された管理情報であれば、本発明のプロジェクト管理情報画面生成装置を適用して多様な構成の画面を生成することが可能である。
【０１０３】
また、本実施形態によるクライアント装置の制御部の機能構成をプログラム化してコンピュータに組み込むことにより、当該コンピュータをプロジェクト管理情報生成装置として機能させるプロジェクト管理情報生成プログラムを構築することも可能である。
【図面の簡単な説明】
【０１０４】
【図１】本発明の一実施形態による電子カルテ情報生成装置としてのクライアント装置を利用した電子カルテ管理システムの構成を示すブロック図である。
【図２】本発明の一実施形態による電子カルテ情報生成装置としてのクライアント装置で利用されるＣＯＡの構造を示す説明図である。
【図３】本発明の一実施形態による電子カルテ情報生成装置としてのクライアント装置で表示される時間軸上におけるＣＯＡの情報の位置を示す説明図である。
【図４】本発明の一実施形態による電子カルテ情報生成装置としてのクライアント装置の構成を示すブロック図である。
【図５】本発明の一実施形態による電子カルテ情報生成装置としてのクライアント装置の動作を示すフローチャートである。
【図６】本発明の一実施形態による電子カルテ情報生成装置としてのクライアント装置で表示された画面上で、選択した項目を横タブに追加するときの動作の一例を示す画面構成図である。
【図７】本発明の一実施形態による電子カルテ情報生成装置としてのクライアント装置で表示された画面上で、横タブが追加されたときの状態を示す画面構成図である。
【図８】本発明の一実施形態による電子カルテ情報生成装置としてのクライアント装置で表示された画面上で、選択した表示部を横タブに追加するときの動作の一例を示す画面構成図である。
【図９】本発明の一実施形態による電子カルテ情報生成装置としてのクライアント装置で表示された画面上で、横タブが追加されたときの状態を示す画面構成図である。
【図１０】本発明の一実施形態による電子カルテ情報生成装置としてのクライアント装置で表示された画面上で、選択した項目を横タブに追加するときの動作の一例を示す画面構成図である。
【図１１】本発明の一実施形態による電子カルテ情報生成装置としてのクライアント装置で表示された画面上で、選択した大タイトルを横タブに追加するときの動作の一例を示す画面構成図である。
【図１２】本発明の一実施形態による電子カルテ情報生成装置としてのクライアント装置で表示された画面上で、横タブが追加されたときの状態を示す画面構成図である。
【図１３】本発明の一実施形態による電子カルテ情報生成装置としてのクライアント装置で表示された画面上で、選択した中タイトルを横タブに追加するときの動作の一例を示す画面構成図である。
【図１４】本発明の一実施形態による電子カルテ情報生成装置としてのクライアント装置で表示された画面上で、横タブが追加されたときの状態を示す画面構成図である。
【図１５】本発明の一実施形態による電子カルテ情報生成装置としてのクライアント装置で表示された画面上で、選択した大タイトルを横タブに追加するときの動作の一例を示す画面構成図である。
【図１６】本発明の一実施形態による電子カルテ情報生成装置としてのクライアント装置で表示された画面上で、選択した横タブをパレット画面に追加するときの動作の一例を示す画面構成図である。
【図１７】本発明の一実施形態による電子カルテ情報生成装置としてのクライアント装置で表示された画面上で、選択したＥＨＲ情報の範囲をパレット画面に追加するときの動作の一例を示す画面構成図である。
【図１８】本発明の一実施形態による電子カルテ情報生成装置としてのクライアント装置で表示された画面上で、パレット画面で選択したＣＯＡを横タブに追加するときの動作の一例を示す画面構成図である。
【図１９】本発明の一実施形態による電子カルテ情報生成装置としてのクライアント装置で表示された画面上で、横タブが追加されたときの状態を示す画面構成図である。
【図２０】本発明の一実施形態による電子カルテ情報生成装置としてのクライアント装置で表示された画面上で、パレット画面で選択したＣＯＡをＥＨＲ情報に追加するときの動作の一例を示す画面構成図である。
【図２１】本発明の一実施形態による電子カルテ情報生成装置としてのクライアント装置で表示された画面上で、選択した中タイトルを大タイトルに変更するときの動作の一例を示す画面構成図である。
【図２２】本発明の一実施形態による電子カルテ情報生成装置としてのクライアント装置で表示された画面上で、選択した中タイトルを大タイトルに変更する操作により更新された状態を示す画面構成図である。
【図２３】本発明の一実施形態による電子カルテ情報生成装置としてのクライアント装置で表示された画面上で、選択した小タイトルを大タイトルに変更するときの動作の一例を示す画面構成図である。
【図２４】本発明の一実施形態による電子カルテ情報生成装置としてのクライアント装置で表示された画面上で、選択した小タイトルを大タイトルに変更する操作により更新された状態を示す画面構成図である。
【図２５】本発明の一実施形態による電子カルテ情報生成装置としてのクライアント装置で表示されたＥＨＲ情報の中の複数のタイムラインが重ねて表示された状態を示す画面構成図である。
【図２６】本発明の一実施形態による電子カルテ情報生成装置としてのクライアント装置で表示されたＥＨＲ情報の中の複数のタイムラインが重ねて表示された状態を示す画面構成図である。
【図２７】本発明の一実施形態による電子カルテ情報生成装置としてのクライアント装置で表示されたＥＨＲ情報の中の複数のタイムラインが重ねられ折れ線グラフとして表示された状態を示す画面構成図である。
【図２８】本発明の一実施形態による電子カルテ情報生成装置としてのクライアント装置で表示されたＥＨＲ情報の中の複数のタイムラインが重ねて表示された状態を示す画面構成図である。
【図２９】本発明の一実施形態による電子カルテ情報生成装置としてのクライアント装置で表示されたＥＨＲ情報の中の複数のタイムラインが重ねて表示された状態を示す画面構成図である。
【符号の説明】
【０１０５】
１…電子カルテ管理システム
１０…電子カルテ管理センター装置
１１…ＣＯＡ情報記憶部
１２…電子カルテ情報記録部
１３…送受信部
２０…クライアント端末
２１…入力部
２２…制御部
２３…送受信部
２４…仮想記憶部
２５…表示部
３０…ネットワーク
４０…表示画面
４１…タイムエクスプローラ表示ボタン
４２…オーガニゼーションエクスプローラ表示ボタン
４３…検索カテゴリ表示部
４４…ＥＨＲ情報表示部
４５…パレット画面
１００…アクト情報層
１１０…自己アクト情報
１１１…自己アクト特性
１１１ａ…名称
１１１ｂ…分類
１１１ｃ…ＩＤ
１１１ｄ…知識
１１２…自己アクト論理
１２０…リンケージアクト情報
１２１…リンケージアクト特性
１２２…リンケージアクト論理
２００…アクト動作層
２２１…電子カルテ情報生成部
２２２…ＥＨＲ情報生成部
３００…出力層
３００ａ…状態
３００ｂ…評価
３００ｃ…成果
３００ｄ…介入
４００…管理層
４００ａ…群
４００ｂ…管理名称
４００ｃ…著作権
４００ｄ…版情報
４３１…上位カテゴリ表示部
４３２…中位カテゴリ表示部
４３３…下位カテゴリ表示部
４３４…メニュー画面
４４１…大タイトル
４４２…中タイトル
４４３…小タイトル
４４４…ＥＨＲ情報
４４５…横タブ
４４６…アイコン
４４６…メニュー画面
【図１】
2010044663.tif 000003
【図２】
2010044663.tif 000004
【図３】
2010044663.tif 000005
【図４】
2010044663.tif 000006
【図５】
2010044663.tif 000007
【図６】
2010044663.tif 000008
【図７】
2010044663.tif 000009
【図８】
2010044663.tif 000010
【図９】
2010044663.tif 000011
【図１０】
2010044663.tif 000012
【図１１】
2010044663.tif 000013
【図１２】
2010044663.tif 000014
【図１３】
2010044663.tif 000015
【図１４】
2010044663.tif 000016
【図１５】
2010044663.tif 000017
【図１６】
2010044663.tif 000018
【図１７】
2010044663.tif 000019
【図１８】
2010044663.tif 000020
【図１９】
2010044663.tif 000021
【図２０】
2010044663.tif 000022
【図２１】
2010044663.tif 000023
【図２２】
2010044663.tif 000024
【図２３】
2010044663.tif 000025
【図２４】
2010044663.tif 000026
【図２５】
2010044663.tif 000027
【図２６】
2010044663.tif 000028
【図２７】
2010044663.tif 000029
【図２８】
2010044663.tif 000030
【図２９】
2010044663.tif 000031